(57)【要約】【課題】本考案は、ユニットバスのドア枠に靄（もや）発生装置を内蔵し、給水管を連通接続すること無く、浴室内に靄状のミストを噴射するユニットバス用ミスト発生装置を提供することを目的とする。【解決手段】本考案のユニットバス用ミスト発生装置は、個室ユニットバスのドアーサッシ枠１の凹溝２に嵌合するように形成した矩形状の取付板３と、該取付板３の下半部に本体カバー４に覆われて内蔵された靄発生装置５と、前記靄発生装置５からの靄を浴室へ放出するミストダクト６とからなる。給水容器７を靄発生装置５に装着し、加熱用ヒーター９により貯留水を温め、超音波発振子１０を作動させて細かい靄状のミストを発生させる。靄状のミストは、送風ファン１１によりのミストダクト６を介して前記取付板３の中央部に設けたミスト出口１６からユニットバス浴室内に放出される。【選択図】図１
0003124724.tif 000002
【実用新案登録請求の範囲】
【請求項１】
個室ユニットバスのドアーサッシ枠の内側四周囲のガラス窓取付板用凹溝に嵌合するように形成した矩形状の取付板と、該取付板の下半部に本体カバーに覆われて配置された靄発生装置と、該靄発生装置のミストカバーに接続され、前記ミストカバーを介して前記取付板の中央部付近から浴室へ靄を放出するミストダクトと、前記靄発生装置及びミストダクトを覆い前記取付板に固定された本体カバーとから構成され、個室ユニットバスの出入口ドアに取り付けられてなることを特徴とするユニットバス用ミスト発生装置。
【請求項２】
前記靄発生装置は、給水容器、鉱石受皿、加熱用ヒーターを備えた貯水部と、超音波発振子を備えた靄発生部と、送風ファンを備えた送風部と、スイッチボックス、電気制御盤を備えた制御部とからなることを特徴とする請求項１記載のユニットバス用ミスト発生装置。
【請求項３】
前記貯水部にはカセット式の給水容器が倒立状に配置されるように形成され、前記給水容器の定位供給弁により前記貯水部及び前記靄発生部に一定量の水補給を行えるようになっており、また貯水部と靄発生部の仕切壁を貫通横断する円棒状の加熱用ヒーターを設け、該加熱用ヒーターにより貯水部と靄発生部の貯留水を所定温度に温めると共に、前記貯水部の一部に鉱石受皿を設け、該鉱石受皿に微量ラジウム放射線を放出する鉱石を充填し、前記鉱石受皿を介して貯留水に微量ラジウム放射線を含ませることができ、さらに前記靄発生部には靄を発生させる超音波発振子が設けられ、該超音波発振子により前記貯溜水から発生した細かい靄状のミストは、前記靄を給送する送風ファンにより前記靄発生部の上部を覆うミストカバーを介してミストダクトを経て前記取付板の中央部付近に設けたミスト出口から浴室内に放出されることを特徴とする請求項２記載のユニットバス用ミスト発生装置。
【考案の詳細な説明】
【技術分野】
【０００１】
本考案は、ユニットバスのドア枠に靄（もや）発生装置を内蔵し、浴室内に靄状のミストを噴射するユニットバス用ミスト発生装置に関する。
【背景技術】
【０００２】
従来のミストサウナは、水を加熱蒸発させて水蒸気を室内に噴霧したり、床暖房には温水パイプに温水を通して行っていた。
このような方式は、水を加熱蒸発させるため熱効率が悪く経済性に欠けると共に設置費用が多く掛かるものであった。
また、ミストシャワー装置として、浴室ドアを取付けたドア枠内部に給水管に連通接続したミストシャワー配管を設け、該ミストシャワー配管にドア枠の浴室内側の面に露出してミストノズルを設け、該ミストノズルから浴室内にミスト状のシャワーを噴射することが知られている（特許文献１を参照）。
この公知技術は、水道管に連通接続した給水配管を必要とし、ミストシャワー配管やミストノズルをドア枠内部に設ける必要があった。
その他に、浴室ドア外側に静電霧化装置を取り付けて浴室ドアの通気用隙間から浴室に帯電微粒子水を放出することが知られている（特許文献２を参照）。
この公知技術は、脱衣室及び浴室の脱臭・防カビを行うため、静電霧化装置を脱衣室に配置し、前記脱衣室から浴室に出入するための浴室ドアに通気用隙間を形成し、前記浴室に換気装置を設け、前記換気装置の運転に脱衣室に配置して静電霧化装置を連動させて、前記換気装置の運転時に静電霧化装置が同時に運転されるようにしたものである。
【特許文献１】特開２００４−３５０７８２号公報
【特許文献２】特開２００６−６１４０８号公報
【考案の開示】
【考案が解決しようとする課題】
【０００３】
本考案は、ユニットバスのドア枠に靄（もや）発生装置を内蔵し、給水管を連通接続すること無く、浴室内に靄状のミストを噴射するユニットバス用ミスト発生装置を提供することを目的とする。
【課題を解決するための手段】
【０００４】
本考案のユニットバス用ミスト発生装置は、個室ユニットバスのドアーサッシ枠の内側四周囲のガラス窓取付板用凹溝に嵌合するように形成した矩形状の取付板と、該取付板の下半部に本体カバーに覆われて配置された靄発生装置と、該靄発生装置のミストカバーに接続され、前記ミストカバーを介して前記取付板の中央部付近から浴室へ靄を放出するミストダクトと、前記靄発生装置及びミストダクトを覆い前記取付板に固定された本体カバーとから構成され、個室ユニットバスの出入口ドアに取り付けられてなる。
また、前記靄発生装置は、給水容器、鉱石受皿、加熱用ヒーターを備えた貯水部と、超音波発振子を備えた靄発生部と、送風ファンを備えた送風部と、スイッチボックス、電気制御盤を備えた制御部とからなる。
さらに、前記貯水部にはカセット式の給水容器が倒立状に配置されるように形成され、前記給水容器の定位供給弁により前記貯水部及び前記靄発生部に一定量の水補給を行えるようになっており、また貯水部と靄発生部の仕切壁を貫通横断する円棒状の加熱用ヒーターを設け、該加熱用ヒーターにより貯水部と靄発生部の貯留水を所定温度に温めると共に、前記貯水部の一部に鉱石受皿を設け、該鉱石受皿に微量ラジウム放射線を放出する鉱石を充填し、前記鉱石受皿を介して貯留水に微量ラジウム放射線を含ませることができ、さらに前記靄発生部には靄を発生させる超音波発振子が設けられ、該超音波発振子により前記貯溜水から発生した細かい靄状のミストは、前記靄を給送する送風ファンにより前記靄発生部の上部を覆うミストカバーを介してミストダクトを経て前記取付板の中央部付近に設けたミスト出口から浴室内に放出される。
【考案の効果】
【０００５】
本考案のユニットバス用ミスト発生装置は、個室ユニットバスのドアーサッシ枠に嵌まっているガラス窓取付板を取外した後に、前記ドアーサッシ枠に付け替えて固定するものであるため、前記ドアーサッシ枠に一致するユニットバス用ミスト発生装置の取付板の大きさを選択することにより、普通の個室ユニットバスを簡単にミストサウナ個室に変更することができる。
本考案の靄発生装置は、給水容器、鉱石受皿、加熱用ヒーターを備えた貯水部と、超音波発振子を備えた靄発生部と、送風ファンを備えた送風部と、スイッチボックス、電気制御盤を備えた制御部とからなるため、給水管を連通接続すること無く、出入口ドアのミスト出口から細かい靄状のミストが吹出して加湿され、浴室室内全体には靄状のミストが充満されるので、ミストサウナ効果が生じる。
本考案のユニットバス用ミスト発生装置は、超音波発振子により噴霧される粒子の細かい靄状のミストなので、皮膚はもちろん、呼吸器官からも隅々まで吸収され、細かい発汗作用により新陳代謝を促し、老廃物を出し、細胞の活性化を助けることができる。
【考案を実施するための最良の形態】
【０００６】
本考案のユニットバス用ミスト発生装置の一実施例を添付図面に基づいて、以下に説明する。
図１に示すように、本考案のユニットバス用ミスト発生装置は、個室ユニットバスのドアーサッシ枠１の内側四周囲のガラス窓取付板用凹溝２に嵌合するように形成した矩形状の取付板３と、該取付板３の下半部に本体カバー４に覆われて内蔵された靄発生装置５と、前記靄発生装置５からの靄を浴室へ放出するミストダクト６とからなる。
前記取付板３は、強化プラスチックやステンレス金属等の剛性材料から矩形状に形成され、図２に示すように、ユニットバスのドアーサッシ枠１の内側四周囲のガラス窓取付板用凹溝２に四周囲の縁部を嵌合させるが、前記取付板３の強度を高めるために厚さを増した場合には四周囲の縁端部に断面凸状の嵌合部を形成し、該嵌合部を前記凹溝２に嵌合すれば良い。
さらに、前記取付板３の中央部付近には、靄発生装置５からの靄を浴室内に放射するためのミストダクト６のミスト出口となる貫通した丸孔を２個形成する。
前記本体カバー４は、強化プラスチックやステンレス金属等の剛性材料から容器形状に形成され、内側に靄発生装置５を内蔵できる空間を形成され、図示しない開閉扉が正面に設けられる。
【０００７】
前記靄発生装置５は、図３の正面図、図４の平面図、図５の左側面図、図６の右側面図に示すように左側から、給水容器７、鉱石受皿８、加熱用ヒーター９を備えた貯水部と、２個の超音波発振子１０を備えた靄発生部と、送風ファン１１を備えた送風部と、下部にスイッチボックス１２、電気制御盤１３を備えた制御部とからなる。
前記貯水部は、カセット式の給水容器７と、該給水容器７からの貯溜水を加熱する加熱用ヒーター９と、前記貯溜水にラジウムを含有させるラジウム鉱石を収納する鉱石受皿８を有する。
前記貯水部にはカセット式の給水容器７が倒立状に配置されるように形成され、前記給水容器７の定位供給弁により前記靄発生部に一定量の水補給を行えるようになっている。
したがって、貯溜水は前記貯水部及び靄発生部に跨って図４の一点鎖線で示すように一定水位が保たれる。
また、貯水部と靄発生部の仕切壁１４を横断する円棒状の加熱用ヒーター９を設け、該加熱用ヒーター９により貯水部と靄発生部の貯留水を所定温度に温めると共に、前記貯水部の一部に鉱石受皿８を設け、該鉱石受皿８に微量ラジウム放射線を放出する鉱石を充填し、前記鉱石受皿８を介して貯留水に微量ラジウム放射線を含ませることができる。
前記靄発生部には前記貯溜水から靄を発生させる２個の超音波発振子１０が設けられ、該超音波発振子１０により発生した細かい靄状のミストは、前記靄を給送する送風ファン１１により前記靄発生部の上部を覆うミストカバー１５からミストダクト６を介して前記取付板３の中央部に設けたミスト出口１６から浴室内に放出される。
なお、前記ミストダクト６は、前記ミストカバー１５上部に２個上下方向に並設された合成樹脂製の円筒体である。
【０００８】
次に、本考案のユニットバス用ミスト発生装置の使用操作を添付図面に基づいて、以下に説明する。
本考案のユニットバス用ミスト発生装置は、個室ユニットバスのドアーサッシ枠１に嵌まっているガラス窓取付板を取外した後に、前記ドアーサッシ枠１に付け替え固定するものである。
したがって、前記ドアーサッシ枠１に一致するユニットバス用ミスト発生装置の大きさを選択することにより、簡単に普通の浴室をミストサウナ個室に変更することができる。
なお、前記ドアーサッシ枠１は、開き戸や片引戸などの扉形式が適宜に選択される。
前記ユニットバス用ミスト発生装置の本体カバー４には、図示しない開閉扉が設けられており、給水容器７への補充水やスイッチボックス１２等の操作を行えるようになっている。
使用に当たって給水容器７を靄発生装置５に装着し、加熱用ヒーター９により貯留水を４０℃前後に温め、２個の超音波発振子１０を作動させて、前記超音波発振子１０により細かい靄状のミストを発生させる。
また、前記貯水部の鉱石受皿８に微量ラジウム放射線を放出する鉱石を充填して置けば、貯留水に微量ラジウム放射線を含ませることができるので、微量ラジウム放射線を含むミストを放出させることもできる。
なお、微量放射線を放出させる鉱石は、ラジウム放射線に限らない。
靄発生部で発生した細かい靄状のミストは、送風ファン１１によりミストカバー１５から２個のミストダクト６を介して前記取付板３の中央部に設けた２個のミスト出口１６からユニットバス浴室内に放出される。
このように、ユニットバス用ミスト発生装置のミスト出口１６から細かい靄状のミストが吹出しているので加湿され、ユニットバス浴室の室内全体には靄状のミストが充満され、ミストサウナ効果が生じる。
【図面の簡単な説明】
【０００９】
【図１】本考案のユニットバス用ミスト発生装置の正面図である。
【図２】本考案のユニットバス用ミスト発生装置の左側面図である。
【図３】靄発生装置の正面図である。
【図４】靄発生装置の平面図である。
【図５】靄発生装置の左側面図である。
【図６】靄発生装置の右側面図である。
【符号の説明】
【００１０】
１  ドアーサッシ枠
２  凹溝
３  取付板
４  本体カバー
５  靄発生装置
６  ミストダクト
７  給水容器
８  鉱石受皿
９  加熱用ヒーター
１０  超音波発振子
１１  送風ファン
１２  スイッチボックス
１３  電気制御盤
１４  仕切壁
１５  ミストカバー
１６  ミスト出口
【図１】
0003124724.tif 000003
【図２】
0003124724.tif 000004
【図３】
0003124724.tif 000005
【図４】
0003124724.tif 000006
【図５】
0003124724.tif 000007
【図６】
0003124724.tif 000008